(57)【要約】      （修正有）【課題】特殊な投薬容器や投薬線に正確に接続するためのアダプタに取り付けられるように設計される注射針アセンブリを提供する。【解決手段】ベースとベースに旋回自在に連結されるハウジングとを備え、ベースは、注射針１０を受け入れる先端部を有し、その先端部に沿って縦方向に錨突起の形状の係止機構が形成される。ハウジングの後壁には後壁から突き出る他方の係止機構が形成される。他方の係止機構は２つの把持突起の形状に形成され、ハウジングには内側のフックが形成され、ハウジングおよびベースが相互に旋回し、注射針がフックに接触し、ベースおよびハウジングの各係止機構が相互に接触する結果、係止機構同士が結合しフックに注射針が結合される。その結果、係止機構同士は連結され、注射針はハウジング内のフックで固く保持される。係止機構は、フックと、フックが固く結合される開口を有するリブの形状のラッチとを有する構成とする。【選択図】図１
2014014703.tif 000002
【特許請求の範囲】
【請求項１】
そのレセプタクル端に所定の形態を有するハブ、および、前記ハブの閉塞端から突き出る注射針を有する注射針アセンブリと、
そのレセプタクル端に前記所定の形態に補完的な第１形態を有して前記ハブに結合される第１端、および、第２形態を有する第２端を有するアダプタと、
前記第２形態に補完的な形態を有して前記アダプタの第２端に結合されるレセプタクル端を有する液体容器または液体線とを備えることを特徴とする装置。
【請求項２】
請求項１に記載の装置において、前記アダプタは、前記液体容器または前記液体線と前記アダプタとがひとたび相互に結合されると前記アダプタから前記液体容器または前記液体線の取り外しを規制するロック機構を備えることを特徴とする装置。
【請求項３】
請求項１に記載の装置において、前記ハブのレセプタクル端は、前記所定の形態を形成する一体形状を有し、前記ハブは、前記所定の形態に補完的な形態を有する対の片方のレセプタクル端のみへの結合に適することを特徴とする装置。
【請求項４】
請求項３に記載の装置において、前記ハブのレセプタクル端の前記一体形状は、前記ハブのレセプタクル端から突き出る２つの突起を備えることを特徴とする装置。
【請求項５】
請求項２に記載の装置において、前記アダプタは、アダプタコア周りに取り付けられるシュラウドと、前記アダプタコアの相互に向かい側の端に形成される前記アダプタの第１端および第２端と、前記アダプタコアの外周面に形成されて、前記シュラウドの内面に沿って周方向に形成される傾斜止めと協働する結果、前記液体容器または液体線が前記アダプタの第２端にひとたび結合されると、前記液体容器または前記液体線と前記アダプタとの間で相互に結合を解除させない少なくとも１つのつめとを備えることを特徴とする装置。
【請求項６】
請求項１に記載の装置において、前記注射針アセンブリは硬膜外針を備えることを特徴とする装置。
【請求項７】
請求項１に記載の装置において、前記アダプタは、貫通路を有するアダプタコアと、前記アダプタコア周りに取り付けられるシュラウドと、当該アダプタの第１端を形成するテーパ状の内側レセプタクル端である前記アダプタコアの第１端とを有し、前記シュラウドは、前記ハブのレセプタクル端が前記アダプタコアのテーパ状の内側レセプタクル端に取り付けられる際に前記ハブのレセプタクル端に差し込まれつつ結合され、内側筋に接続される対向入口を有することを特徴とする装置。
【請求項８】
請求項１に記載の装置において、前記アダプタのレセプタクル端の前記第１形態は、従来のルアーを有する注射針アセンブリに接続不可能であることを特徴とする装置。
【請求項９】
請求項１に記載の装置において、前記ハブの前記所定の形態に補完的な形態の第１端、および、前記ハブと同一の前記所定の形態を有する第２端を有し、前記ハブのレセプタクル端にその第１端を結合させるとともに前記アダプタの第１端にその第２端を結合させて、前記注射針アセンブリおよび前記アダプタの間に挟み込まれつつ接続されるのに適するフィルタをさらに備えることを特徴とする装置。
【請求項１０】
所定の形態のレセプタクル端を有する注射針ハブ、および、注射針ハブの閉塞端から突き出す注射針を有する注射針アセンブリと、前記所定の形態に補完的な形態を有し、前記注射針ハブおよび当該アダプタの第１端とを相互に容易に結合可能にする第１端を有するアダプタとの組み合わせであって、前記アダプタは、液体容器または液体線のレセプタクル端に当該アダプタを結合する第２形態を有する第２端を有し、前記アダプタは、当該アダプタにひとたび結合されると当該アダプタから前記液体容器または液体線を取り外すことができる前記アダプタに対して前記液体容器または液体線の所定の方向への回転を規制するロック機構を備えることを特徴とする組み合わせ。
【請求項１１】
請求項１０に記載の組み合わせにおいて、前記ハブの前記レセプタクル端はシリンダ状に形成され、前記シリンダ状のレセプタクル端の前記所定の形態は一体形状に基づき形成され、前記アダプタの第１端は前記一体形状に補完的な対の片方を有することを特徴とする組み合わせ。
【請求項１２】
請求項１１に記載の組み合わせにおいて、前記一体形状は、前記ハブの前記シリンダ状のレセプタクル端の相互に反対側に形成される２つの突起を備えることを特徴とする組み合わせ。
【請求項１３】
請求項１０に記載の組み合わせにおいて、前記アダプタは、アダプタコアと、前記アダプタコア周りに取り付けられるシュラウドと、前記アダプタコアの相互に向かい側の端に形成される前記アダプタの第１端および第２端と、前記アダプタコアの外周面に形成されて、前記シュラウドの内周面に沿って形成される傾斜止めと協働する結果、前記液体容器または液体線と前記アダプタとが前記アダプタの第２端にひとたび結合されると、前記液体容器または前記液体線と前記アダプタとの間でもはや相互に結合を解除させない少なくとも１つのつめとを備えることを特徴とする組み合わせ。
【請求項１４】
請求項１０に記載の組み合わせにおいて、前記注射針は硬膜外針であることを特徴とする組み合わせ。
【請求項１５】
請求項１０に記載の組み合わせにおいて、前記ハブの前記所定の形態に補完的な形態の第１端、および、前記ハブと同一の前記所定の形態の第２端を有し、前記ハブのレセプタクル端にその第１端を結合させるとともに前記アダプタの第１端にその第２端を結合させ、前記注射針および前記アダプタの間で濾過された液体を通過させて、前記注射針アセンブリおよび前記アダプタの間に挟み込まれつつ接続されるのに適するフィルタをさらに備えることを特徴とする組み合わせ。
【請求項１６】
レセプタクル端を有するハブ、および、前記ハブの閉塞端から突き出る注射針を有する注射針アセンブリを適切な薬物液体容器または液体線に結合する方法であって、
ａ）前記ハブのレセプタクル端に所定の形態を確立する工程と、
ｂ）前記所定の形態に補完的な第１形態の第１端を有するアダプタを用意して、前記ハブのレセプタクル端に前記アダプタを結合する工程と、
ｃ）前記アダプタの第２端に第２形態を確立する工程と、
ｄ）前記第２形態に補完的な形態のレセプタクル端を有する液体容器または液体線を用意して、前記アダプタの第２端に前記液体容器または液体線を結合する工程とを備えることを特徴とする方法。
【請求項１７】
請求項１６に記載の方法において、前記ハブのレセプタクル端で一体形状を確立して、前記ハブが、前記所定の形態に補完的な形態を有する対の片方のレセプタクル端にのみ結合されるのに適する前記所定の形態を形成する工程をさらに備えることを特徴とする方法。
【請求項１８】
請求項１６に記載の方法において、前記液体容器または液体線と前記アダプタとが相互にひとたび結合されると前記アダプタから前記液体容器または液体線の取り外しを規制するロック機構を前記アダプタに設ける工程をさらに備えることを特徴とする方法。
【請求項１９】
請求項１６に記載の方法において、前記工程ｂ）は、
前記アダプタコアと、前記アダプタコア周りに取り付け可能なシュラウドとを前記アダプタの部品として設ける工程と、
前記アダプタコアの相互に向かい側の端に前記アダプタの第１端および第２端を形成する工程と、
前記前記アダプタコアの外周面に少なくとも１つのつめを設け、前記シュラウドの内面に沿って周方向に傾斜止めを設ける工程と、
前記アダプタコア周りに前記シュラウドを回転可能に取り付けて前記アダプタを形成する工程と、
前記液体容器または液体線が前記アダプタの第２端にひとたび結合されると、前記アダプタのつめが前記シュラウドの傾斜止めと協働する結果、前記液体容器または液体線は、前記アダプタと前記液体容器または液体線とが相互に取り外されない所定の方向にのみ回転する工程とをさらに備えることを特徴とする方法。
【請求項２０】
請求項１６に記載の方法において、前記ハブの前記所定の形態に補完的な形態の第１端、および、前記ハブと同一の前記所定の形態の第２端を有するフィルタを前記注射針アセンブリおよび前記アダプタの間に接続可能に挟み込み、前記ハブのレセプタクル端に前記フィルタの第１端を結合し、前記アダプタの第１端に前記フィルタの第２端を結合して、前記注射針および前記アダプタの間で濾過された液体の伝達路を確立する工程を備えることを特徴とする方法。
【発明の詳細な説明】
【技術分野】
【０００１】
本発明は、例えば脊髄針アセンブリや硬膜外針アセンブリといった注射針アセンブリに関し、特に、特殊な投薬容器や投薬線に正確に接続するためのアダプタに取り付けられるように設計される注射針アセンブリに関する。
【背景技術】
【０００２】
注射針に液体線や液体容器を誤って接続しないために、従来技術は、相互に補完し合うように形作られる対向面を有する２部品のコネクタの使用を開示する。これら２部品のコネクタによれば、コネクタの１部品から延びる１本の線は異なる投薬線に誤って接続されないことが保証される。このコネクタは、米国特許第６６１２６２４号明細書（以下「６２４号特許」という）と、その親出願の米国特許第６４０２２０７号明細書（以下「２０７特許」という）とに開示される。６２４号特許は参考までにここに組み込まれる。
【０００３】
６２４号特許に開示されるコネクタの代わりに用いられるアダプタは、本出願と同一の譲受人に譲渡された２００４年８月１１日出願の出願番号１０／９１５５７４の米国出願に開示される。この米国出願は参考までにここに組み込まれる。
【先行技術文献】
【特許文献】
【０００４】
【特許文献１】米国特許出願公開第２００４／０２０１２１６号明細書
【特許文献２】米国特許出願公開第２００３／０１０５４２８号明細書
【特許文献３】特開２００４−３０５７４９号公報
【特許文献４】特表２００１−５２３４９０号公報
【発明の概要】
【発明が解決しようとする課題】
【０００５】
６２４号特許のコネクタは、２つの接続部品を必要とすることから、注射針の使用にあたって、注射針の投入を切り替える液体線の追加を必要とする。こういったことは、貴重な時間の浪費であることは言うまでもなく、潜在的に１秒といえども重要な医療環境では不都合である。
【課題を解決するための手段】
【０００６】
本発明に係る注射針を有する注射針アセンブリは、アダプタの一端にのみ接続される形状を有するように特定の形状に形作られる注射針ハブを有する。アダプタは、当該アダプタと注射針ハブとを相互に容易に結合させる補完的な形態を有するように形作られる。アダプタの他端は従来のレセプタクル端を有する。従来のレセプタクル端は、例えばシリンジや投薬液体線といった従来のルアー適合型投薬容器に結合されるルアーの形状を有する。本発明に係る注射針アセンブリのハブは、特定の形態を有するように設計されることから、従来のルアーには結合されることはできない。したがって、注射針が患者に注射される場合に、注射針アセンブリが、患者に害を及ぼす薬剤を含む液体容器に誤って接続されることはない。
【０００７】
注射針は液体容器から取り外される必要がある場合、および／または、患者には追加の薬剤が提供される必要がある場合、適切な薬剤が患者に提供されることの保証のため、適切な薬剤容器（または液体線）に注射針を接続するアダプタは、正しい液体容器がひとたびアダプタに接続されると液体容器の取り外しを規制するロック機構を有する。こうして必要以上の薬剤が患者に注入されず、薬剤容器と注射針との正しい結合に基づき正しい薬剤が患者に供給される。
【０００８】
本発明のロック機構は、２部品、すなわち、アダプタコアおよびアダプタコア周りに取り付けられるシュラウドから構成されるアダプタに一体化される。アダプタコアは製造工程でシュラウドに取り付けられる。アダプタコアは、その外周面すなわち外周壁の実質的に中央領域に１対のつめを有する。これらのつめは、アダプタコアおよびシュラウドが相互に相対回転するとき、シュラウドの内周面すなわち内周壁に形成される傾斜止めと協働する。液体容器（または液体線）がアダプタにひとたび結合されると、液体容器（または液体線）は、アダプタからもはや取り外されることはできない。通常であれば液体容器のレセプタクル端がアダプタから取り外される方向に回転しても、液体容器とともにアダプタのレセプタクル端は回転するにすぎない。液体容器のレセプタクル端とアダプタのレセプタクル端との結合の解放は規制される。その結果、特殊なアダプタにのみ接続される注射針で使用されなければならない液体容器に貯蔵される薬剤が注射針で使用されても、依然として患者に差し込まれている注射針に異なる薬剤容器が誤って接続される可能性は排除される。
【０００９】
本発明は、そのレセプタクル端に所定の形態を有するハブ、および、ハブの閉塞端から突き出る注射針を有する注射針アセンブリと、前記所定の形態に補完的な第１形態を有する第１端を有して注射針アセンブリのレセプタクル端に結合されるアダプタとを備える装置に関する。アダプタは第２形態を有する第２端をさらに有し、液体容器または液体線は、第２形態に補完的な形態を有するレセプタクル端を有する。その結果、液体容器または液体線のレセプタクル端はアダプタの第２端に結合されるのに適する。
【００１０】
本発明はまた、所定の形態のレセプタクル端を有する注射針ハブ、および、注射針ハブの閉塞端から突き出る注射針を有する注射針アセンブリと、所定の形態に補完的な形態の第１端を有するアダプタとの組み合わせに関し、その結果、注射針ハブおよびアダプタの第１端は相互に容易に結合される。アダプタは第２形態の第２端を有し、アダプタは液体容器または液体線のレセプタクル端に結合されることができる。アダプタはさらに、液体容器（または液体線）がアダプタにひとたび結合されると、アダプタから液体容器が取り外される方向にアダプタに対して液体容器（または液体線）を相対回転させないロック機構として機能する。
【００１１】
本発明はさらに、レセプタクル端を有するハブ、および、ハブの閉塞端から突き出る注射針を備える注射針アセンブリを適切な薬剤容器または薬剤線に結合する方法に関する。方法は、ａ）ハブのレセプタクル端に所定の形状を確立する工程と、ｂ）所定の形態に補完的な第１形態を有し、ハブのレセプタクル端に結合される第１端をアダプタに設ける工程と、ｃ）アダプタの第２端に第２形態を確立する工程と、ｄ）レセプタクル端を有する液体容器または液体線に第２形態に補完的な形態を設けて、液体容器または液体線にアダプタの第２端を結合される工程とを備える。
【００１２】
添付の図面とともに本発明の以下の説明が参照されれば、本発明は明らかにされ、本発明自体は最もよく理解される。
【図面の簡単な説明】
【００１３】
【図１】アダプタおよび液体容器を有する本発明に係る注射針を示す。
【図２】注射針に関連して、アダプタの分解部品を示す。
【図３Ａ】本発明に係る注射針アセンブリの側面図である。
【図３Ｂ】本発明に係る注射針アセンブリの側面図である。
【図４Ａ】アダプタのアダプタコア部品の異なる面から観察される図である。
【図４Ｂ】アダプタのアダプタコア部品の異なる面から観察される図である。
【図４Ｃ】アダプタのアダプタコア部品の異なる面から観察される図である。
【図４Ｄ】アダプタのアダプタコア部品の異なる面から観察される図である。
【図４Ｅ】アダプタのアダプタコア部品の異なる面から観察される図である。
【図４Ｆ】アダプタのアダプタコア部品の異なる面から観察される図である。
【図５Ａ】アダプタのシュラウド部品の異なる面から観察される図である。
【図５Ｂ】アダプタのシュラウド部品の異なる面から観察される図である。
【図５Ｃ】アダプタのシュラウド部品の異なる面から観察される図である。
【図５Ｄ】アダプタのシュラウド部品の異なる面から観察される図である。
【図５Ｅ】アダプタのシュラウド部品の異なる面から観察される図である。
【図５Ｆ】アダプタのシュラウド部品の異なる面から観察される図である。
【図５Ｇ】アダプタのシュラウド部品の異なる面から観察される図である。
【図６】アダプタおよび注射針アセンブリの間に挟み込まれるフィルタを示す図である。
【発明を実施するための形態】
【００１４】
図１に示されるように、本発明は、注射針ハブ４を有する注射針アセンブリ２を含む。注射針ハブ４は、レセプタクル端６と、注射針１０を突き出させる閉塞端８とを有する。注射針１０は従来の注射針であればよいが、本実施形態に係る注射針１０は、患者への差し込みに用いられる硬膜外針や脊髄針である。図示されるように、閉塞端８はフランジ１２で注射針ハブ４の残余部から分離される。
【００１５】
注射針ハブ４のレセプタクル端６は細長いシリンダ部１４を備える。シリンダ部１４では、製造工程で特殊な形態が確立されて、注射針アセンブリ２に特有の特殊なまた所定の形態が実現される。図示される実施形態では、レセプタクル端６の相互に反対側の面に２つの突起１６ａ、１６ｂが形成される。これらの突起１６ａ、１６ｂは、レセプタクル端６の断面径に加えて、注射針アセンブリ２の注射針ハブ４で所定の形態を規定する。細長いシリンダ部１４の外周壁の厚みは、注射針ハブ４の形態のさらなる特性を実現するために必要な大きさに規定される。すなわち、外周壁の厚みは、レセプタクル端６に開口１８の断面を形成し、注射針ハブ４の中に貫通路を形成する。開口１８は、アダプタ２０のレセプタクル端を受け入れるのに十分な径を有する。アダプタ２０のレセプタクル端には注射針アセンブリ２の注射針ハブ４が結合される。突起１６ａ、１６ｂは、開口１８から特定の距離で注射針ハブ４のレセプタクル端６に形成される。こうして突起１６ａ、１６ｂは、アダプタ２０、より具体的には、後述のレセプタクル端およびアダプタ２０のシュラウド部品との適切な結合を確立する形状の一部として形成される。
【００１６】
図１にさらに示されるように、アダプタ２０はもう１つのレセプタクル端２４を有する。レセプタクル端２４は、従来のルアー端と同様に、例えばシリンジ２８といった液体容器の従来のルアー端に結合されるように形作られる。液体容器に代えて、ルアー端２６といったルアーに適合する端部を有する液体線も想定される。シリンジ２８のルアー端２６は、アダプタ２０のレセプタクル端２４に結合されることができるものの、注射針アセンブリ２のレセプタクル端６には結合されることができない。シリンジ２８のルアー端２６は、雄のレセプタクル端２９を有し、ねじ切り点線３０で示されるように内部でねじ切りされる。
【００１７】
図２は、注射針アセンブリ２に関してアダプタ２０の種々の部品を示す。図示されるように、アダプタ２０は、アダプタコア３２と、アダプタコア３２周りへの嵌め込みに適するシュラウド３４とを備える。前述のように、アダプタコア３２はレセプタクル端２４を有する。レセプタクル端２４は遠位端すなわち第２レセプタクル端２４と呼ばれる。加えて、アダプタコア３２は近位端すなわち第１レセプタクル端３６を有する。第１レセプタクル端３６は注射針ハブ４のレセプタクル端６との結合に用いられる。アダプタコア３２は単一の成型部品から形成されることから、第１レセプタクル端３６と第２レセプタクル端２４とは貫通路４０（図４Ｂ）で接続される。貫通路４０は、第１レセプタクル端３６の開口から第２レセプタクル端２４の開口まで延びる。シュラウド３４およびアダプタコア３２は、従来の医療用プラスチックから成型される別々の部品から形成される。
【００１８】
図３Ａおよび３Ｂは注射針アセンブリの側面図である。図３Ａに示されるように、注射針アセンブリ２の注射針ハブ４のレセプタクル端６はキャップ３９で覆われる。キャップ３９から細いカニューレ（図示されず）が延びる。注射針１０が患者に差し込まれるとき、カニューレは注射針１０内に挿入されて注射針の開口１０ａの芯抜や閉塞を回避する。注射針１０が適切に患者に差し込まれた後にのみ、ユーザはキャップ３９を取り外す。その結果、カニューレは注射針１０内に挿入される。いずれの場合も、液体は、注射針１０の先端で開口１０ａを介して注射針１０および患者の間を移動することができる。
【００１９】
本発明に係るアダプタ２０のアダプタコア３２は、図４Ａ〜図４Ｆに最もよく示されるように、細長い円錐形の第１レセプタクル端３６と、シリンダ状の第２レセプタクル端２４とを有する。第２レセプタクル端２４の端部には従来のルアー接続を確立するフランジ２４ａが形成される。図４Ａ、図４Ｄおよび図４Ｆに最もよく示されるように、アダプタコア３２のほぼ中間領域に２つの一体つめ３８が形成される。一体つめ３８はアダプタコア３２の外周面すなわち外周壁に形成される。図４Ｆに最もよく示されるように、これらの各一体つめ３８は半傾斜部３８ａおよび先端止め３８ｂを有する。図４Ｂに最もよく示されるように、貫通路４０は、第１レセプタクル端３６の開口から第２レセプタクル端２４の開口まで延びる。図１に示されるように、アダプタコア３２がシュラウド３４に嵌め合わせられるとき（逆に言えば、シュラウド３４がアダプタコア３２周りに嵌め合わせられるとき）、第１レセプタクル端３６と第２レセプタクル端２４とを分離するフランジ４２は嵌め合わせを補強する。テーパ状の円周部４４の働きで、アダプタコア３２は、シュラウド３４に差し込まれることができ、シュラウド３４内に固いながらも回転自在に保持されることができる。
【００２０】
図５Ａ〜図５Ｇに示されるように、シュラウド３４は第１開口４６および第２開口４８を有する。第１開口４６は、前述のように、注射針アセンブリ２のレセプタクル端６の形態に補完的な形態を確立するように仕上げられる。特に、図５Ｂに示されるように、シュラウド３４の第１開口４６は円形状に規定される。第１開口４６の内面には２つの入口すなわち溝４６ａが形成される。溝４６ａは注射針ハブ４の対応の突起１６の通過を許容する。シュラウド３４には内側筋４９が形成されることから、注射針ハブ４のレセプタクル端６が第１開口４６にひとたび挿入されると、注射針ハブ４の突起１６はシュラウド３４の内側筋４９に沿って移動し、開口１８を介して第１レセプタクル端６はアダプタコア３２の第２レセプタクル端３６に一層十分に結合される。こうして注射針ハブ４およびシュラウド３４の相対回転に基づき注射針ハブ４はシュラウド３４にしっかり固定される。注射針ハブ４がシュラウド３４にひとたび完全にねじ込まれると、注射針ハブ４はアダプタ２０にしっかりと結合される。
【００２１】
アダプタコア３２は、図５Ｅおよび図５Ｆの矢印４８で示される方向にシュラウド３４に押し付けられつつ嵌め込まれる。図４のアダプタコア３２の部分３２ａは、図５Ｅおよび図５Ｆに示されるように、部分３４ａでシュラウド３４に嵌め込まれて保持される。シュラウド３４の内周面には周方向に間隔をあけて複数の突起５０が形成される。突起５０に固有の柔軟な弾性によれば、アダプタコア３２の円周部４４の前側はテーパ状に形成されることから、突起５０は円周部４４を通過させることができる。その一方で、円周部４４の環状の平坦な裏面４４ａは突起５０でバイアスをかけて保持されることから、シュラウド３４の外側に向かって円周部４４の戻りは規制される。その結果、アダプタコア３２がシュラウド３４内にひとたび嵌め合わせられると、アダプタコア３２はシュラウド３４から取り外されることはできない。
【００２２】
図５Ｇに最もよく示されるように、シュラウド３４には複数の傾斜止め５２がさらに形成される。傾斜止め５２は、止め面５２ｓが先端止め３８ｂに対してバイアスをかける方向でのアダプタコア３２の回転を規制する。実際には、ユーザがレセプタクル端２４でアダプタ３４を保持しながらシュラウド３４を回転させようとするとき、シュラウド３４は反時計回り方向にのみ回転することができる。ユーザがアダプタコア３２に対してシュラウド３４を時計回り方向に回そうとすると、アダプタコア３２はシュラウド３４と一緒に必ず回転してしまう。
【００２３】
操作にあたって、例えば図１に示されるシリンジ２８といった液体容器のルアー端に対してアダプタ２０のルアー端２４が時計回りに回転させられると、アダプタ２０は液体容器に簡単に結合されることができる。しかしながら、シュラウド３４はアダプタコア３２およびシリンジ２８の一体的な動きから独立して動く一方で（非回転または回転）、アダプタコア３２はシリンジ２８と一緒に動く（非回転または回転）ことから、例えばシリンジ２８に対して反時計回りの方向にアダプタ２０（特にシュラウド３４）が回転させられても、シリンジ２８からアダプタ２０を取り外すことはできない。その結果、シリンジ２８がアダプタ２０にひとたび結合されると、結合状態が維持される。しかも、注射針ハブ４は、アダプタ２０のレセプタクル端３６の形態にのみ補完的に結合する形態を有する。したがって、異なるシリンジが注射針アセンブリ２に誤って結合される可能性は排除される。
【００２４】
図６は本発明に係る他の実施形態を示す。アダプタ２０および注射針アセンブリ２の間にフィルタ装置５６が挟み込まれつつ接続される。フィルタ装置５６は、フィルタ要素５８を有することに加えて第１端６０を有する。第１端６０は、注射針アセンブリ２の注射針ハブ４のレセプタクル端６の形態に対して補完的な形態を有する。言い替えれば、フィルタ装置５６のレセプタクル端６０の形態はアダプタ２０の第１レセプタクル端３６の形態と同一である。さらに、フィルタ装置５６は、アダプタ２０に結合される第２端６２を備える。第２端６２は、注射針ハブ４のレセプタクル端６の形態と同一の形態を有する。フィルタ装置５６が注射針アセンブリ２およびアダプタ２０にひとたび完全に接続されると、フィルタ装置５６は、注射針アセンブリ２およびアダプタ２０の間で通過する液体を濾過する。アダプタ２０の第２レセプタクル端２４には液体容器が結合されるのはもちろんのことである。フィルタ装置５６のフィルタ要素５８には液体内の有害な粒子や要素の濾過に適する従来の医療用フィルタが用いられればよい。
【図１】
2014014703.tif 000003
【図２】
2014014703.tif 000004
【図３Ａ】
2014014703.tif 000005
【図３Ｂ】
2014014703.tif 000006
【図４Ａ】
2014014703.tif 000007
【図４Ｂ】
2014014703.tif 000008
【図４Ｃ】
2014014703.tif 000009
【図４Ｄ】
2014014703.tif 000010
【図４Ｅ】
2014014703.tif 000011
【図４Ｆ】
2014014703.tif 000012
【図５Ａ】
2014014703.tif 000013
【図５Ｂ】
2014014703.tif 000014
【図５Ｃ】
2014014703.tif 000015
【図５Ｄ】
2014014703.tif 000016
【図５Ｅ】
2014014703.tif 000017
【図５Ｆ】
2014014703.tif 000018
【図５Ｇ】
2014014703.tif 000019
【図６】
2014014703.tif 000020
【手続補正書】
【提出日】平成25年9月12日(2013.9.12)
【手続補正１】
【補正対象書類名】特許請求の範囲
【補正対象項目名】全文
【補正方法】変更
【補正の内容】
【特許請求の範囲】
【請求項１】
１片の細長いシリンダ部を備え、
前記シリンダ部は、周壁で区画される開口を有してハブレセプタクル端を形成する開放端および閉塞端を有し、
前記ハブレセプタクル端は医療機器のルアー端と当該ハブレセプタクル端との結合を阻止する特定形状を有し、
前記特定形状は、前記開放端の前記開口から特定距離で離れた位置で前記ハブレセプタクル端の相互に反対側の面に形成されて、前記特定形状に対して補完的な形態を有するシュラウドの内周面に形成された内ねじにねじ込まれる２つの突起を含み、
前記ハブレセプタクル端は内ねじ付きの前記ルアー端に結合不能であって、
前記特定形状は、前記開口に対して通常の雄レセプタクル端の嵌め合わせを防止する断面形状を前記ハブレセプタクル端の前記開口に付与する寸法に設定された前記シリンダ部の前記周壁を含む
注射針ハブ。
【請求項２】
請求項１に記載の注射針ハブにおいて、前記閉塞端から延びる注射針をさらに備えることを特徴とする注射針ハブ。
【請求項３】
請求項１に記載の注射針ハブにおいて、
前記シュラウドは一般的でないレセプタクル端を有するコアの当該レセプタクル端に嵌め合わせられ、
前記シュラウドの前記内ねじに前記突起がねじ込まれる際に、前記ハブレセプタクル端の前記開口は前記コアの前記レセプタクル端の嵌め込みを受け入れる
ことを特徴とする注射針ハブ。
【請求項４】
請求項３に記載の注射針ハブにおいて、前記シュラウドおよび前記コアは液体容器の取り外し不能なコネクタ端に適応することを特徴とする注射針ハブ。
【請求項５】
請求項３に記載の注射針ハブにおいて、前記シュラウドの前記内ねじに前記ハブレセプタクル端の前記突起をねじ込む方向に対して反対向きの方向に前記シュラウドおよび前記シリンダ部が相対回転する際に、前記ハブレセプタクル端および前記コアの前記レセプタクル端は相互に取り外し可能であることを特徴とする注射針ハブ。
【請求項６】
請求項２に記載の注射針ハブにおいて、前記注射針は硬膜外針または脊髄針であることを特徴とする注射針ハブ。
【請求項７】
請求項２に記載の注射針ハブにおいて、前記閉塞端に形成されて、前記注射針から前記注射針ハブの他部位を隔てるフランジをさらに備えることを特徴とする注射針ハブ。
【請求項８】
周壁で区画される開口を有する開放端、および、注射針を支持する閉塞端を有し、
前記開放端は、医療機器のルアー端の結合を防止する特定形状を有するハブレセプタクル端を形成し、
前記特定形状は、前記開放端の前記開口から特定距離で離れた位置で前記ハブレセプタクル端の相互に反対側の面に形成される２つの突起を有し、
前記突起は、前記特定形状に対して補完的な形態を有するシュラウドの内周面に形成された内ねじにねじ込み可能であって、
前記ハブレセプタクル端は内ねじ付きの前記ルアー端に結合不能であって、
前記特定形状は、通常の雄レセプタクル端の嵌め合わせを防止する寸法に前記ハブレセプタクル端の前記開口を形成する前記ハブレセプタクル端の前記周壁を含む
ことを特徴とする１ピース型の注射針ハブ。
【請求項９】
請求項８に記載の注射針ハブにおいて、
前記シュラウドは一般的でないレセプタクル端を有するコアの当該レセプタクル端に嵌め合わせられ、
前記シュラウドの前記内ねじに前記突起がねじ込まれる際に、前記ハブレセプタクル端の前記開口は前記コアの前記レセプタクル端の嵌め込みを受け入れる
ことを特徴とする注射針ハブ。
【請求項１０】
請求項８に記載の注射針ハブにおいて、前記シュラウドおよび前記コアは液体容器の取り外し不能なコネクタ端に適応することを特徴とする注射針ハブ。
【請求項１１】
請求項８に記載の注射針ハブにおいて、前記シュラウドの前記内ねじに前記ハブレセプタクル端の前記突起をねじ込む方向に対して反対向きの方向に前記シュラウドおよび前記ハブレセプタクル端が相対回転する際に、前記ハブレセプタクル端および前記コアの前記レセプタクル端は相互に取り外し可能であることを特徴とする注射針ハブ。
【請求項１２】
請求項８に記載の注射針ハブにおいて、前記注射針は硬膜外針または脊髄針であることを特徴とする注射針ハブ。
【請求項１３】
請求項８に記載の注射針ハブにおいて、前記閉塞端に形成されて、前記注射針から前記注射針ハブの他部位を隔てるフランジをさらに備えることを特徴とする注射針ハブ。
【請求項１４】
周壁で区画される開口を有して、医療機器のルアー端の結合を防止する特定形状を有するハブレセプタクル端を形成する開放端、および、注射針を支持する閉塞端を有する１ピース型の注射針ハブと、
前記特定形状に対して補完的な形態を有して取り外し不能なコネクタ端を有する液体容器とを備え、
前記特定形状は、前記開放端の前記開口から特定距離で離れた位置で前記ハブレセプタクル端の相互に反対側の面に形成される２つの突起を有し、
前記開口は、通常の雄レセプタクル端の嵌め合わせを防止する断面形状を有するように寸法付けされ、
前記コネクタ端は、内壁面に形成される内ねじを有するシュラウドを含み、前記突起は前記内ねじにねじ込み可能であって、
前記コネクタ端の前記補完的な形態は、通常の注射針ハブに形成される通常のレセプタクル端への結合を防止する
ことを特徴とするシステム。
【請求項１５】
請求項１４に記載のシステムにおいて、前記シュラウドは、コアに形成された一般的でないレセプタクル端にはめ合わせられ、前記ハブレセプタクル端の前記突起が前記シュラウドの前記内ねじにねじ込まれる際に、前記コアの前記レセプタクル端は前記ハブレセプタクル端の前記開口にはめ込まれることを特徴とするシステム。
【請求項１６】
請求項１５に記載のシステムにおいて、前記コアは前記液体容器に通じる貫通路を有することを特徴とするシステム。
【請求項１７】
請求項１４に記載のシステムにおいて、前記シュラウドの前記内ねじに前記ハブレセプタクル端の前記突起をねじ込む方向に対して反対向きの方向に前記注射針ハブおよび前記シュラウドが相対回転する際に、前記ハブレセプタクル端および前記コアの前記レセプタクル端は相互に取り外し可能であることを特徴とするシステム。
【請求項１８】
請求項１４に記載のシステムにおいて、前記流体容器および前記コネクタ端は別々の部品であって、それぞれに相互に結合可能な対応のレセプタクル端を有し、前記流体容器および前記コネクタ端はいちど相互に完全に結合されると取り外し不能であることを特徴とするシステム。
【請求項１９】
請求項１４に記載のシステムにおいて、前記注射針は硬膜外針または脊髄針であることを特徴とするシステム。
【請求項２０】
請求項１４に記載のシステムにおいて、前記注射針から前記注射針ハブの他部位を隔てるフランジをさらに備えることを特徴とするシステム。